(57)【要約】【課題】カウンターの強度を構造上強くしてカウンターの変形を防止し、前板の前後方向の位置ずれを防止する。【解決手段】横板２の前端部から前板３を一体に垂下して断面逆Ｌ字状のカウンター１を形成する。横板２の下面の後端縁部に沿って横板用フレーム１６を設ける。前板３の後面の下端縁部に沿って前板用フレーム１７を設ける。上記前板用フレーム１７と横板用フレーム１６とをＬ字状の連結フレーム１８で連結し、前板用フレーム１８にバックハンガー１９を設けてカウンターブロック９を形成する。該カウンターブロック９の連結フレーム１８に下方に突出する脚部材２１を取り付ける。カウンターブロック９のバックハンガー１９を床パン７の立ち上げ縁部１０に上方から嵌め込み係止する。カウンターブロック９に取り付けた脚部材２１をスラブ４に載置する。【選択図】        図１
2004254873.tif 000002
【特許請求の範囲】
【請求項１】
横板の前端部から前板を一体に垂下して断面逆Ｌ字状のカウンターを形成し、横板の下面の後端縁部に沿って横板用フレームを設け、前板の後面の下端縁部に沿って前板用フレームを設け、上記前板用フレームと横板用フレームとをＬ字状の連結フレームで連結すると共に、前板用フレームにバックハンガーを設けてカウンターブロックを形成し、該カウンターブロックの連結フレームに下方に突出する脚部材を取り付け、外端部に立ち上げ縁部を有する床パンをスラブに載置し、カウンターブロックのバックハンガーを床パンの立ち上げ縁部に上方から嵌め込み係止し、カウンターブロックに取り付けた脚部材をスラブに載置してなることを特徴とするカウンターの支持構造。
【請求項２】
横板の前端縁部から前板を一体に垂下して断面逆Ｌ字状のカウンターを形成し、前板の後面の下端縁部に沿って前板用フレームを設け、横板の下面の後端縁部に沿って横板用フレームを設け、上記前板用フレームと横板用フレームとをＬ字状の連結フレームで連結すると共に、前板用フレームにバックハンガーを設けてカウンターブロックを形成し、外端部に立ち上げ縁部を有する床パンを基礎間に架設した複数本の架台に載置し、カウンターブロックのバックハンガーを床パンの立ち上げ縁部に上方から嵌め込み係止し、カウンターブロックの連結フレームを架台に載設した支持フレームに載置してなることを特徴とするカウンターの支持構造。
【請求項３】
上記連結フレームを、連結フレームの高さ調整を行う高さ調整部材を介して支持フレームに載置してなることを特徴とする請求項２記載のカウンターの支持構造。
【発明の詳細な説明】
【０００１】
【発明の属する技術分野】
本発明は、ユニットバスルームに設けられるカウンター、詳しくは洗面カウンターの支持構造に関するものである。
【０００２】
【従来の技術】
従来から、ユニットバスルーム内にカウンターを設けたものが知られている。このカウンターの支持構造としては、例えば図８に示すように、横板２の前端部から前板３を一体に垂下した断面逆Ｌ字状のカウンター１を形成し、カウンター１の前板３の後面に前板用フレーム５０を設け、カウンター１の横板２の下面に横板用フレーム５１を設け、外端部に立ち上げ縁部１０を有する床パン７をスラブ４に載設し、床パン４の立ち上げ縁部１０に前板３及び前板用フレーム５０の下端を載置し、前板用フレーム５０の上部をスラブ４に載置した脚部材５２に接続し、横板用フレーム５１を前記脚部材５２に載置したものである（例えば特許文献１）。
【０００３】
【特許文献１】
実開平４−３０１５８号公報
【０００４】
【発明が解決しようとする課題】
ところで上記特許文献１に示すカウンター１の支持構造においては、前板用フレーム５０を脚部材５２に接続し、横板用フレーム５１を脚部材５２に載置しているだけで、前板用フレーム５０と横板用フレーム５１とは連結されていないため、構造上断面逆Ｌ字状のカウンター１の強度が弱く、カウンター１が変形してしまう場合がある。さらに上記カウンター１の前板３においては前板用フレーム５０の下端部が自由端となっており、これによって前板３は設置される床パン７に対して位置ずれしやすく、さらに前板用フレーム１７の下端部は立ち上げ縁部１０によって後方にのみ位置ずれしないように支持しているだけなので、この点からも前板３は前方に位置ずれし易い。
【０００５】
本発明は上記の点に鑑みてなされたものであり、その目的とするところは、構造上横板と前板とからなる断面逆Ｌ字状のカウンターの強度を強くしてカウンターの変形を防止でき、且つ前板の前後方向の位置ずれを防止できるカウンターの支持構造を提供することを課題とするものである。
【０００６】
【課題を解決するための手段】
上記課題を解決するために本発明に係るカウンターの支持構造は、横板２の前端部から前板３を一体に垂下して断面逆Ｌ字状のカウンター１を形成し、横板２の下面の後端縁部に沿って横板用フレーム１６を設け、前板３の後面の下端縁部に沿って前板用フレーム１７を設け、上記前板用フレーム１７と横板用フレーム１６とをＬ字状の連結フレーム１８で連結すると共に、前板用フレーム１８にバックハンガー１９を設けてカウンターブロック９を形成し、該カウンターブロック９の連結フレーム１８に下方に突出する脚部材２１を取り付け、外端部に立ち上げ縁部１０を有する床パン７をスラブ４に載置し、カウンターブロック９のバックハンガー１９を床パン７の立ち上げ縁部１０に上方から嵌め込み係止し、カウンターブロック９に取り付けた脚部材２１をスラブ４に載置してなることを特徴とするものである。
【０００７】
このように前板用フレーム１７と横板用フレーム１６とをＬ字状の連結フレーム１８で連結することで、Ｌ字状の連結フレーム１８と断面逆Ｌ字状のカウンター１とで構造上強度の強い断面略矩形枠状のカウンターブロック９を形成でき、断面逆Ｌ字状のカウンター１は構造上強度の強い断面略矩形枠状のカウンターブロック９により保形することができる。また上記カウンター１における前板用フレーム１７の下端部は連結フレーム１８により前後方向に支持することができ、これにより前板３の下端部を支持して床パン７に対する前板３の位置ずれを防止できる。加えてバックハンガー１９を床パン７の立ち上げ縁部１０に上方から嵌め込み係止することで、前板用フレーム１７の下端部を立ち上げ縁部１０により支持することができ、これによって前板３の位置ずれをより一層防止できる。
【０００８】
また請求項２記載のカウンターの支持構造は、横板２の前端縁部から前板３を一体に垂下して断面逆Ｌ字状のカウンター１を形成し、前板３の後面の下端縁部に沿って前板用フレーム１７を設け、横板２の下面の後端縁部に沿って横板用フレーム１６を設け、上記前板用フレーム１７と横板用フレーム１６とをＬ字状の連結フレーム１８で連結すると共に、前板用フレーム１７にバックハンガー１９を設けてカウンターブロック９を形成し、外端部に立ち上げ縁部１０を有する床パン７を基礎６、６間に架設した複数本の架台５に載置し、カウンターブロック９のバックハンガー１９を床パン７の立ち上げ縁部１０に上方から嵌め込み係止し、カウンターブロック９の連結フレーム１８を架台５に載設した支持フレーム３１に載置してなることを特徴とするものである。
【０００９】
このように前板用フレーム１７と横板用フレーム１６とをＬ字状の連結フレーム１８で連結することで、前板用フレーム１７と横板用フレーム１６とをＬ字状の連結フレーム１８で連結することで、Ｌ字状の連結フレーム１８と断面逆Ｌ字状のカウンター１とで構造上強度の強い断面略矩形枠状のカウンターブロック９を形成でき、断面逆Ｌ字状のカウンター１は構造上強度の強い断面略矩形枠状のカウンターブロック９により保形することができる。また上記カウンター１における前板用フレーム１７の下端部は連結フレーム１８により前後方向に支持することができ、これにより前板３の下端部を支持して床パン７に対する前板３の位置ずれを防止できる。加えてバックハンガー１９を床パン７の立ち上げ縁部１０に上方から嵌め込み係止することで、前板用フレーム１７の下端部を立ち上げ縁部１０により支持することができ、これによって前板３の位置ずれをより一層防止できる。さらにはカウンターブロック９の連結フレーム１８を架台５に載設した支持フレーム３１に載置することで、支持フレーム３１を幅方向に小さい断面方形状の架台５にも容易に載置できる。
【００１０】
また請求項３記載のカウンターの支持構造は、上記連結フレーム１８を、連結フレーム１８の高さ調整を行う高さ調整部材４５を介して支持フレーム３１に載置してなることを特徴とするものである。
【００１１】
このように連結フレーム１８を、連結フレーム１８の高さ調整を行う高さ調整部材４５を介して支持フレーム１８に載置することで、高さ調整部材４５にてカウンターブロック９の高さを調整できるようになり、これによりバックハンガー１８の高さを床パン７の立ち上げ縁部１０と同じ高さに合わせることができる。
【００１２】
【発明の実施の形態】
以下、本発明を添付図面に示す実施形態に基づいて説明する。本実施形態におけるカウンター１は、浴室の洗い場で体を洗ったりする際に小物等を載置する洗面カウンターであって、ユニットバスルームに配設されるものである。
【００１３】
浴室を形成するユニットバスルームは、スラブ４や基礎６間に架設した断面矩形（正方形）状の架台５に載置される床パン７と、浴槽と、周囲に立設された壁と、これら壁によって形成された上開口部を覆う天井とを備えており、該ユニットバスルームの洗い場を構成する床パン７と洗い場に面した壁との間にカウンター１を備えたカウンターブロック９を配設することで、カウンター１が床パン７から張り出した状態で配設される。
【００１４】
床パン７は主体を構成する平面視方形状の床パン本体８の外周端部から全周に亘って立ち上げられた立ち上げ縁部１０を有しており、立ち上げ縁部１０は図１に示すように床パン本体８の外端部から立ち上げた立ち上げ片１１と、立ち上げ片１１の上端部から外方に突出する載置片１２と、載置片１２の外端部から上方に突出する上水切り片１３と、載置片１２の外端部から下方に突出する下水切り片１４とからなり、この床パン７は図示しない脚片をスラブ４に載置することでスラブ４に載置されている。なお床パン７の脚片としては高さ調整自在のアジャスタボルトを利用しても良い。また下水切り片１４は設けなくても良いものとする。
【００１５】
カウンターブロック９は、図２中破線で示した断面逆Ｌ字状のカウンター１と、カウンター１と一体に成形加工された図中実線で示した補強部材１５とからなり、該カウンターブロック９は側面視矩形に枠組みされている。すなわちこのカウンターブロック９は、横板２の前端部から前板３を一体に垂下し、横板２の下面の後端縁部に沿って横板用フレーム１６を設け、前板３の後面の下端縁部に沿って前板用フレーム１７を設け、上記前板用フレーム１７と横板用フレーム１６とを側面視Ｌ字状の連結フレーム１８で連結すると共に、前板用フレーム７ａにバックハンガー１９を設けたものである。
【００１６】
詳述すると、カウンター１は長尺状の横板２と、横板２の前端部から一体に垂下した前板３とからなり、横板２は前板３の長手方向に亘って形成されている。前板３の一部は後方に湾曲しており、この湾曲した部分の下端部には小物等を載置できる載置台２０を前方に突出している。また前板３には開口５３が設けてあり、連結フレーム１８に後述する脚部材２１を取り付ける際に浴室側からカウンターブロック９内に手や工具を入れられるようにしている。なお、この開口５３は連結フレーム１８を脚部材２１に取り付けた後にカバー等で塞がれるものとする。
【００１７】
補強部材１５は、横板２の下面の後端縁部に沿って一体に設けた横板用フレーム１６と、前板３の後面の下端縁部に沿って一体に設けた前板用フレーム７ａと、上記前板用フレーム１７と横板用フレーム１６とを連結するＬ字状の連結フレーム１８とで一体に構成されており、各フレーム１６、１７、１８は断面矩形の管状体である。
【００１８】
横板用フレーム１６は平面視コ字状に形成されており、横板１の下面の後端縁部に沿って設けられる中央フレーム部２２と、中央フレーム部２２の両端から突出し夫々が横板２の下面の幅方向における両端縁部に沿って設けられる両側フレーム部２３、２３とからなる。中央フレーム部２２は横板２の長手方向略全長に亘っており、また両側フレーム部２３、２３は夫々横板２の幅方向全長に亘っている。
【００１９】
前板用フレーム１７は、前板３の長手方向全長に亘っており、この前板用フレーム１７の上面の長手方向における複数の箇所には、図３に示すように側面視逆Ｌ字状のバックハンガー１９が溶接加工にて一体に設けてある。すなわち、バックハンガー１９は、前板用フレーム１７の上面から後方に突出する横片部２４と、横片部２４の後端部から下方に一体に突出する縦片部２５とからなり、前板用フレーム１７の後面と、縦片部２５との間に床パン７の立ち上げ縁部１０の上水切り片１３の厚みと略同じ大きさの隙間Ｃを形成している。
【００２０】
連結フレーム１８は、前板用フレーム１７の長手方向における複数の箇所と、この複数の箇所の夫々に対応する横板用フレーム１６の中央フレーム部２２の複数の箇所とを夫々連結するものであって、本実施形態では、前板用フレーム１７の長手方向において対称に位置する両外側部分と、この両外側部分の夫々に対応する中央フレーム部２２の両外側部分とを夫々連結フレーム１８で連結している。各連結フレーム１８は、前板用フレーム１７から後方に突出する水平片２６と、該水平片２６の後端部から上方に突出しその上端部が中央フレーム部２２に連結される垂片２７とからなる。
【００２１】
上記各連結フレームの１８の水平片２６の後部には後述する脚部材２１としてのアジャスタボルトが螺合する雌ネジ部１６を形成している。具体的には水平片２６の後部の内面における底面に溶接加工にてナット２９を一体に設けて水平片２６にナット２９を内蔵し、水平片２６のナット２９と対応する部分に挿入孔部３０を形成してあり、ナット２９を内蔵することで水平片２６の下面をフラットとしている。
【００２２】
そして上記カウンターブロック９には、連結フレーム１８の水平片２６のナット２９（雌ねじ部２８）に脚部材２１としての高さ調整自在なアジャスタボルトの上端を螺合することで、水平片１４から下方に突出するアジャスタボルトが取り付けられ、この脚部材２１を取り付けたカウンターブロック９のバックハンガー１９をスラブ４に載置された床パン７の立ち上げ縁部１０に上方から嵌め込み係止すると共に、カウンターブロック９に取り付けたアジャスタボルトをスラブ４に載置することで、ユニットバスルームにカウンターが施工される。
【００２３】
図１にカウンター１の支持構造を示す。図に示すように横板２の前端部から前板３を一体に垂下し、横板２の下面の後端縁部に沿って横板用フレーム１６を設け、前板３の後面の下端縁部に沿って前板用フレーム１７を設け、上記前板用フレーム１７と横板用フレーム１６とをＬ字状の連結フレーム１８で連結すると共に、前板用フレーム１７にバックハンガー１９を設けてカウンターブロック９を形成し、該カウンターブロック９の連結フレーム１８に下方に突出する脚部材２１を取り付け、外端部に立ち上げ縁部１０を有する床パン７をスラブ４に載置し、カウンターブロック９のバックハンガー１９を床パン７の立ち上げ縁部１０に上方から嵌め込み係止し、カウンターブロック９に取り付けた脚部材２１をスラブ４に載置した状態で、カウンター１は支持されている。ここでカウンターブロック９の前板用フレーム１７は床パン７の立ち上げ縁部１０の載置片１２に載置されており、またバックハンガー１９は、前述した前板用フレーム１７の後面と縦片部２５との間に形成された隙間Ｃに床パン７の立ち上げ縁部１０の上水切り片１３の上端部を嵌め込むことで、立ち上げ縁部１０に嵌め込み係止されている。なお、上記前板３を前板用フレーム１７よりもやや下方に延出し、床パン７の載置片１２に前板用１７フレームではなく、前板３を載置しても良いものとする。
【００２４】
上記のように前板用フレーム１７と横板用フレーム１６とをＬ字状の連結フレーム１８で連結することで、断面逆Ｌ字状のカウンター１は構造上強度の強い断面矩形枠状のカウンターブロック９により保形されることととなり、これにより断面逆Ｌ字状のカウンター１の構造上の強度を強くしてカウンター１の変形を防止できる。また上記カウンター１における前板用フレーム１７の下端部は連結フレーム１８により前後方向に支持することができ、これにより前板３の下端部を支持して床パン７に対する位置ずれを防止できる。加えてバックハンガー１９を床パン７の立ち上げ縁部１０に上方から嵌め込み係止することで、前板用フレーム１７の下端部を立ち上げ縁部１０により前後方向に支持することができ、これによって前板３の位置ずれをより一層防止できる。
【００２５】
ところで上記床パン７及びカウンターブロック９を基礎６に架設した断面矩形状の複数本の架台５に支持する場合、脚部材２１としてのアジャスタボルトは幅方向に小さい断面矩形状の架台５に載置されるのだが、この場合、アジャスタボルトと架台５との位置合わせが難しく施工が容易ではない。そこで上記図１と異なる実施形態を図４示す。なお図１の上記実施形態と同一の構成については同一の番号を付与してあり、重複する説明については説明を省略する。
【００２６】
本実施形態における床パン７及びカウンター１は基礎６、６間に架設した複数本の架台５に支持されており、カウンターブロック９は、アジャスタボルトではなく架台５に載設された矩形枠状の支持フレーム３１に載置されている。
【００２７】
詳述すると、所定間隔を介して平行に形成された基礎６、６の上面には夫々図４に示すように直方体の土台３６が載設されており、両土台３６、３６の上面の長手方向における複数の箇所には夫々吊り具３７を設けている。各吊り具３７は、図４、図５に示すように土台３６に固定される水平な固定片３８と、固定片３８の内側端部から土台３６の内面に沿って垂下する上垂片３９と、上垂片３９の下端部から下方に行くほど内側に位置するように傾斜する傾斜片４０と、傾斜片４０の下端部から垂下する下垂片４１とからなる。各架台５は矩形の管状体であって、各架台５の両端部を両土台３６、３６の上面に固定された各吊り具３７の下垂片４１の下端部に夫々固着することで、各架台５は基礎６、６間に土台３６よりも下方に位置するように架設されている。
【００２８】
そして床パン７は上記基礎６、６間に架設された複数本の架台５に脚片を載置することで載置されている。
【００２９】
支持フレーム３１は図５に示すように矩形の管状体である左右の縦片３２、３３と上下の横片３４、３５とを矩形枠状に一体に溶接したものであり、下横片３５の下面の幅方向両端部の夫々には架台５に固着される接続プレート４２を溶接している。接続プレート４２は下横片３５よりも後方にやや突出しており、この下横片３５より突出した部分の左右方向における複数の箇所には固着具（図示せず）を挿入するための固着具用孔４３が形成されている。また接続プレート４２はその前端が下横片３５の前面よりもやや後方に位置するように固着されており、これにより支持フレーム３１を図６に示すように下垂片４１の内面にぴったりと沿わせた状態で架台５に載置することができるようになっている。すなわち架台５の端部と下垂片４１の下端部は、架台５と下垂片４１との内側角部３０をすみ肉溶接することにより固着されており、支持フレーム３１を下垂片４１の内面にぴったりと沿わせて配置した際に、内角部４４に形成された溶接ビード４５が接続プレート４２の前面と下垂片４１との内面との間に形成された隙間Ｂに収まり、支持フレーム３１が溶接ビード４５に干渉しないようになっている。
【００３０】
そして上記支持フレーム３１における下横片３４の両端部が隣接する架台５に跨るように支持フレーム３１を架台５に載置し（図５参照）、複数の固着具用孔４３のうち、架台５上に位置する固着具用孔４３を選択し、この固着具用孔４３に固着具を挿入して架台５に下垂片４１の内面にぴったりと沿わせた状態で支持フレーム３１を載設し、図１に示す実施形態と同じカウンターブロック９の各バックハンガー１９を架台５に載置された床パン７の立ち上げ縁部１０に上方から嵌め込み係止すると共に、カウンターブロック９の両連結フレーム１８の水平片２６を架台５に載設した支持フレーム３１の上横片３５に載置することで、ユニットバスルームにカウンター１が設置される。
【００３１】
すなわちカウンター１は、図４に示すように横板２の前端縁部から前板３を一体に垂下し、前板３の後面の下端縁部に沿って前板用フレーム１７を設け、横板２の下面の後端縁部に沿って横板用フレーム１６を設け、上記前板用フレーム１７と横板用フレーム１６とをＬ字状の連結フレーム１８で連結すると共に、前板用フレーム１７にバックハンガー１９を設けてカウンターブロック９を形成し、外端部に立ち上げ縁部１０を有する床パン７を基礎６、６間に架設した複数本の架台５に載置し、カウンターブロック９のバックハンガー１９を床パン７の立ち上げ縁部１０に上方から嵌め込み係止し、カウンターブロック９の連結フレーム１８を架台５に載設した支持フレーム３１に載置した状態で支持されている。
【００３２】
このように支持することで図１の実施形態同様カウンター１の構造上の強度を強くでき、カウンターの変形及び位置ずれを防止できる。また、カウンターブロック９を矩形枠状の支持フレーム３１を介して架台５に載置することで、幅方向に小さい断面方形状の架台５にも支持フレーム３１を容易に載置でき、施工が容易になる。
【００３３】
またカウンターブロック９における連結フレーム１８の水平片２６にナット２９を内蔵して水平片２６の下面をフラットとすることで、カウンターブロック９の連結フレーム１８の水平片２６を支持フレーム３１の上横片３４に載置でき、これにより本実施形態における基礎６に架設された断面矩形状の架台５に載置する場合も、上記図１の実施形態に示すカウンターブロック９をスラブ４に載置する場合も、同じカウンターブロック９を使用することができ、製造コストを削減できる。
【００３４】
またここでは上記連結フレーム１８を、図７に示すように連結フレーム１８の高さ調整を行う高さ調整部材４６を介して支持フレーム３１に載置することが好ましい。
【００３５】
詳述すると、高さ調整部材４６は下方及び左右方向に開口する断面コ字状のコ字状片４７で主体を構成しており、コ字状片４７は上方から支持フレーム３１の上横片３４に嵌め込まれている。コ字状片４７の上面の左右方向両端部には雌ねじ部４９が形成されており、該雌ねじ部４９にはその下面が上横片３４の上面に載置される高さ調整用のボルト４８が挿通しており、該高さ調整用のボルト４８を回転することでコ字状片４７の高さを調整できるようになっている。
【００３６】
このように連結フレーム１８を、連結フレーム１８の高さ調整を行う高さ調整部材４６を介して支持フレーム３１に載置することで、高さ調整部材４６にてカウンターブロック９の高さを調整できるようになり、これによりバックハンガーの高さ７ｄを床パン７の立ち上げ縁部１０と同じ高さに合わせることができる。
【００３７】
【発明の効果】
上記のように本発明の請求項１記載の発明にあっては、前板用フレームと横板用フレームとをＬ字状の連結フレームで連結することで、Ｌ字状の連結フレームと断面逆Ｌ字状のカウンターとで構造上強度の強い断面略矩形枠状のカウンターブロックを形成でき、断面逆Ｌ字状のカウンターは構造上強度の強い断面略矩形枠状のカウンターブロックにより保形することができ、これにより断面逆Ｌ字状のカウンターの構造上の強度を強くしてカウンターの変形を防止できる。また上記カウンターにおける前板用フレームの下端部は連結フレームにより前後方向に支持することができ、これにより前板の下端部を支持して床パンに対する前板の位置ずれを防止できる。加えてバックハンガーを床パンの立ち上げ縁部に上方から嵌め込み係止することで、前板用フレームの下端部を立ち上げ縁部により支持することができ、これによって前板の位置ずれをより一層防止できる。
【００３８】
また請求項２記載の発明にあっては、前板用フレームと横板用フレームとをＬ字状の連結フレームで連結することで、Ｌ字状の連結フレームと断面逆Ｌ字状のカウンターとで構造上強度の強い断面略矩形枠状のカウンターブロックを形成でき、断面逆Ｌ字状のカウンターは構造上強度の強い断面略矩形枠状のカウンターブロックにより保形することができ、これにより断面逆Ｌ字状のカウンターの構造上の強度を強くしてカウンターの変形を防止できる。また上記カウンターにおける前板用フレームの下端部は連結フレームにより前後方向に支持することができ、これにより前板の下端部を支持して床パンに対する前板の位置ずれを防止できる。加えてバックハンガーを床パンの立ち上げ縁部に上方から嵌め込み係止することで、前板用フレームの下端部を立ち上げ縁部により支持することができ、これによって前板の位置ずれをより一層防止できる。さらにはカウンターブロックの連結フレームを架台に載設した支持フレームに載置することで、支持フレームを幅方向に小さい断面方形状の架台にも容易に載置できるようになり、施工が容易になる。
【００３９】
また請求項３記載の発明にあっては、上記請求項２記載の発明の効果に加えて連結フレームを、連結フレームの高さ調整を行う高さ調整部材を介して支持フレームに載置することで、高さ調整部材にてカウンターブロックの高さを調整できるようになり、これによりバックハンガーの高さを床パンの立ち上げ縁部と同じ高さに合わせることができる。
【図面の簡単な説明】
【図１】本発明の実施形態の一例のカウンターの支持構造を示す側断面図である。
【図２】同上のカウンターブロックを示す斜視図である。
【図３】図２のＡ部拡大図である。
【図４】異なる実施形態の一例のカウンターの支持構造を示す側断面図である。
【図５】同上の分解斜視図である。
【図６】同上の架台に支持フレームを載置した状態を示す側面図である。
【図７】同上の連結フレームを高さ調整部材を介して支持フレームに載置した状態を示す斜視図である。
【図８】従来のカウンターの支持構造を示す側断面図である。
【符号の説明】
１  カウンター
２  横板
３  前板
４  スラブ
５  架台
６  基礎
７  床パン
９  カウンターブロック
１０  立ち上げ縁部
１６  横板用フレーム
１７  前板用フレーム
１８  連結フレーム
１９  バックハンガー
２１  脚部材
【図１】
2004254873.tif 000003
【図２】
2004254873.tif 000004
【図３】
2004254873.tif 000005
【図４】
2004254873.tif 000006
【図５】
2004254873.tif 000007
【図６】
2004254873.tif 000008
【図７】
2004254873.tif 000009
【図８】
2004254873.tif 000010